(57)【特許請求の範囲】
【請求項１】
キッチンキャビネットの上方開口から下方に挿入されて、前面に備える操作部を前記キッチンキャビネットの前面開口に臨ませた状態に組み付けられる調理器本体を備え、前記調理器本体の上部周縁の外方に鍔部が形成され、前記鍔部が前記キッチンキャビネットの前記上方開口の周縁部である開口周縁部上に載置された状態で設置される加熱調理器において、
前記調理器本体の内側の、前記キッチンキャビネットの前記開口周縁部と対向する領域に配設された、前記調理器本体が備える加熱部から、前記開口周縁部への熱の伝播を抑制するための金属製の防熱板と、
前記防熱板に配設された、壁体によって前後方向に延びる筒状に形成され、前方に入口部を備え、後方に出口部を備えた通気筒と、
前記調理器本体の後方に配設された、前記調理器本体内の熱気を排出するための排気孔と、
前記調理器本体の前方に、かつ、前記排気孔より低い位置に配設された、前記調理器本体内に外部の空気を吸引するための吸気孔と
を備えていることを特徴とする加熱調理器。
【請求項２】
前記調理器本体が上方を開放端とする有底箱型の部材であって、前記開放端を覆うトッププレートを備え、かつ、
前記調理器本体内には、グリル調理用のグリル庫と、前記グリル庫の後方に設けられ、前記グリル庫内の調理排気を前記グリル庫の外に排出するグリル排気筒と、前記トッププレートの後方に設けられ、前記調理排気を前記調理器本体外に排出するためのグリル排気用開口とを備えており、
前記グリル排気用開口が前記排気孔としても機能するように構成されているとともに、
前記吸気孔が前記調理器本体の前面に設けられていること
を特徴とする請求項１記載の加熱調理器。
【請求項３】
コンロ用加熱部を複数備え、加熱力の最も大きいコンロ用加熱部が左右のいずれか一端側に配置され、
前記調理器本体の内側の、前記加熱力の最も大きいコンロ用加熱部が配設された前記一端側における、前記開口周縁部と対向する領域には、前記通気筒を備えた前記防熱板が配設されており、
前記調理器本体の内側の前記一端側とは反対側における、前記開口周縁部と対向する領域には、前記通気筒を備えていない前記防熱板が配設されていること
を特徴とする請求項１または２記載の加熱調理器。
【発明の詳細な説明】
【技術分野】
【０００１】
本発明は、加熱調理器に関し、詳しくは、キッチンキャビネットに装着されて使用される加熱調理器に関する。
【背景技術】
【０００２】
加熱調理器には、キッチンキャビネットに装着されて用いられる、いわゆるドロップインコンロが広く知られている。
【０００３】
このような加熱調理器として、特許文献１には、キッチンキャビネットの上方開口部から下方に挿入されて、前面部をキッチンキャビネットの前面開口に臨ませた状態に組み付けられる加熱調理器が記載されている。
【０００４】
この特許文献１の加熱調理器の場合、調理器本体の上部の周縁部には、キッチンキャビネットの上面に載置されることにより、調理器本体をキッチンキャビネットに保持させるための鍔部が形成されている。そして、この鍔部がキッチンキャビネットの上方開口部の周縁上に置かれることにより、調理器本体の主要部がキッチンキャビネット内に収容された状態で、調理器本体がキッチンキャビネットに保持された状態となるように構成されている。
【先行技術文献】
【特許文献】
【０００５】
【特許文献１】特開２０１４−０３５１２３号公報
【発明の概要】
【発明が解決しようとする課題】
【０００６】
しかしながら、調理器本体内には、グリルバーナを備えたグリル部や、コンロバーナを備えたコンロ部などの加熱部を有しており、グリルバーナやコンロバーナなどの使用時に、これらの加熱部からの熱によって、キッチンキャビネットの上方開口部の周縁の温度が上昇する。そして、キッチンキャビネットの上方開口の周縁部の温度が耐熱温度を超えると、キッチンキャビネットの上方開口部の周縁が劣化してしまい、美観を損なったり、使用に支障を来すようになったりするという問題点がある。
【０００７】
本発明は、上記課題を解決するものであり、例えばグリルバーナやコンロバーナなどの加熱部を使用した場合にも、キッチンキャビネットの上方開口の周縁部である開口周縁部の温度が上昇することを抑制することが可能で、キッチンキャビネットの劣化を抑制、防止することが可能な加熱調理器を提供することを目的とする。
【課題を解決するための手段】
【０００８】
上記の目的を達成するために、本発明の加熱調理器は、
キッチンキャビネットの上方開口から下方に挿入されて、前面に備える操作部を前記キッチンキャビネットの前面開口に臨ませた状態に組み付けられる調理器本体を備え、前記調理器本体の上部周縁の外方に鍔部が形成され、前記鍔部が前記キッチンキャビネットの前記上方開口の周縁部である開口周縁部上に載置された状態で設置される加熱調理器において、
前記調理器本体の内側の、前記キッチンキャビネットの前記開口周縁部と対向する領域に配設された、前記調理器本体が備える加熱部から、前記開口周縁部への熱の伝播を抑制するための金属製の防熱板と、
前記防熱板に配設された、壁体によって前後方向に延びる筒状に形成され、前方に入口部を備え、後方に出口部を備えた通気筒と、
前記調理器本体の後方に配設された、前記調理器本体内の熱気を排出するための排気孔と、
前記調理器本体の前方に、かつ、前記排気孔より低い位置に配設された、前記調理器本体内に外部の空気を吸引するための吸気孔と
を備えていることを特徴としている。
【０００９】
また、本発明の加熱調理器においては、
前記調理器本体が上方を開放端とする有底箱型の部材であって、前記開放端を覆うトッププレートを備え、かつ、
前記調理器本体内には、グリル調理用のグリル庫と、前記グリル庫の後方に設けられ、前記グリル庫内の調理排気を前記グリル庫の外に排出するグリル排気筒と、前記トッププレートの後方に設けられ、前記調理排気を前記調理器本体外に排出するためのグリル排気用開口とを備えており、
前記グリル排気用開口が前記排気孔としても機能するように構成されているとともに、
前記吸気孔が前記調理器本体の前面に設けられていることが好ましい。
【００１０】
また、本発明の加熱調理器においては、
コンロ用加熱部を複数備え、加熱力の最も大きいコンロ用加熱部が左右のいずれか一端側に配置され、
前記調理器本体の内側の、前記加熱力の最も大きいコンロ用加熱部が配設された前記一端側における、前記開口周縁部と対向する領域には、前記通気筒を備えた前記防熱板が配設されており、
前記調理器本体の内側の前記一端側とは反対側における、前記開口周縁部と対向する領域には、前記通気筒を備えていない前記防熱板が配設されていることが好ましい。
【発明の効果】
【００１１】
本発明の加熱調理器は、調理器本体の内側の、キッチンキャビネットの上方開口の周縁部である開口周縁部と対向する領域に、調理器本体が備える加熱部からの熱の伝播を抑制するための金属製の防熱板を設け、防熱板に、壁体によって前後方向に延びる筒状に形成され、前方に入口部を備え、後方に出口部を備えた通気筒を配設するとともに、調理器本体の後方に、調理器本体内の熱気を排出するための排気孔を設け、調理器本体の前方に、かつ、排気孔より低い位置に、調理器本体内に外部の空気を吸引するための吸気孔を設けるようにしているので、キッチンキャビネットの上記開口周縁部の温度が上昇することを抑制して、キッチンキャビネットが加熱されて劣化することを抑制することが可能になる。
【００１２】
すなわち、例えば、加熱調理器が備えるグリル部（グリルバーナ）やコンロ部（コンロバーナ）などの加熱部を使用した場合に、調理器本体内の空気の温度が上昇するのに伴い、ドラフト力が発生する。ここで、排気孔より下方に吸気孔が位置しているので、ドラフト力によって調理器本体内の温かい空気が調理器本体後方の排気孔から排出され、吸気孔から調理器本体外の冷たい空気が吸気されることになる。排気孔からの温かい空気の排出と吸気孔からの冷たい空気の吸気に伴い、吸気された冷たい空気の一部は通気筒の入口部から通気筒内に流入する。そして、通気筒内に流入した空気は、防熱板を冷却しながら通気筒内を前から後に通流し、通気筒の出口部から流出した後、排気孔から排出される。
【００１３】
これにより、防熱板が通気筒内を流れる温度の低い空気により冷却されるため、グリル部（グリルバーナ）やコンロ部（コンロバーナ）など加熱部の使用時においても、キッチンキャビネットの上方開口の周縁部の温度が過度に上昇することが抑制され、キッチンキャビネットの上方開口の周縁部の劣化を抑えることが可能になる。  
【００１４】
また、調理器本体が、上方の開放端を覆うトッププレートを備え、かつ、調理器本体内には、グリル調理用のグリル庫と、グリル庫の後方に設けられ、グリル庫内の調理排気をグリル庫の外に排出するグリル排気筒と、トッププレートの後方に設けられ、調理排気を調理器本体外に排出するためのグリル排気用開口とを備えており、グリル排気用開口が排気孔としても機能するように構成されているとともに、吸気孔が調理器本体の前面に設けられている構成とした場合、グリル排気用開口と排気孔を共用できることから、製造コストの上昇を抑制することができる。
【００１５】
また、吸気孔が、通常グリル排気用開口と同じ圧力となる調理器本体の前面に設けられるので、排気孔の圧力が吸気孔の圧力より高くなることにより、吸気孔からの吸気および排気孔からの排気が妨げられることを防止して、防熱板を効率よく冷却することが可能になる。
【００１６】
特に、グリル調理時には、グリル排気筒の周囲温度上昇に伴いドラフト力が増加し、排気孔からの温かい空気の排出が促進されることから、防熱板の冷却が促進されるため好ましい。
【００１７】
また、コンロ用加熱部を複数備え、加熱力の最も大きいコンロ用加熱部が左右のいずれか一端側に配置され、調理器本体の内側の、加熱力の最も大きいコンロ用加熱部が配設された一端側における、キャビネットの上方開口の周縁部（開口周縁部）と対向する領域には、通気筒を備えた前記防熱板が配設され、調理器本体の内側の一端側とは反対側における、開口周縁部と対向する領域には、通気筒を備えていない防熱板が配設されている構成とすることにより、コンロバーナ（加熱部）の加熱力に応じて防熱板に通気筒が取り付けられることになり、製造コストを抑制しつつ、グリルバーナやコンロバーナなど加熱部の使用時の、キッチンキャビネットの上方開口の周縁部の温度上昇を抑制することが可能になり、本発明をより実効あらしめることができる。
【図面の簡単な説明】
【００１８】
【図１】本発明の実施形態にかかる加熱調理器（グリル付きドロップインコンロ）をキッチンキャビネットに設置した状態を示す側面図である。
【図２】本発明の実施形態にかかる加熱調理器をキッチンキャビネットに設置した状態を示す正面図である。
【図３】本発明の実施形態にかかる加熱調理器をキッチンキャビネットに設置した状態を示す平面図である。
【図４】本発明の実施形態にかかる加熱調理器のトッププレートを省略した要部の平面図である。
【図５】本発明の実施形態にかかる加熱調理器のトッププレートおよび操作部およびグリル扉を省略した要部の正面図である。
【図６】本発明の実施形態にかかる加熱調理器の吸気孔付近の拡大断面図である。
【図７】本発明の実施形態にかかる加熱調理器のグリル付きドロップインコンロの斜視図である。
【図８】本発明の実施形態にかかる加熱調理器のグリル付きドロップインコンロのキッチンキャビネットへの設置方法を示す側面図である。
【発明を実施するための形態】
【００１９】
以下、本発明の実施形態を示して、その特徴とするところをさらに詳しく説明する。
【００２０】
［実施形態］
以下に、本発明の一実施形態にかかる加熱調理器（ガス調理器）について、図１〜８を参照しつつ説明を行う。
なお、この実施形態にかかる加熱調理器は、加熱部２として、コンロ部２ａとグリル２ｂを備えたビルトイン型のグリル付きドロップインコンロである（図５など参照）。
【００２１】
図１〜８に示すように、本発明の実施形態にかかる加熱調理器（グリル付きドロップインコンロ）１は、上面側にコンロバーナ２１，２２が配設され、内部にグリル調理用のグリル庫１２（図４など）を備えた調理器本体３が、キッチンキャビネット（カウンタートップ）４の上方開口部５から下方に挿入されて、前面に備える操作部６をキッチンキャビネット４の前面開口７に臨ませた状態に組み付けられるように構成されている。なお、組み付けた後の調理器本体３の上面側にはトッププレート８がシール部材９（図１、図８）により固着されるように構成されている。
【００２２】
そして、この実施形態のグリル付きドロップインコンロ１は、コンロ部２ａとして、ガスを燃料とする標準火力コンロバーナ２１と、大火力コンロバーナ２２を備えている。
【００２３】
グリル２ｂは、グリル庫１２、グリル扉１３，グリル扉１３を開閉するための取っ手１４、グリル庫１２内に配設された、ガスを燃料とする上バーナ２３および下バーナ２４を備えている。
【００２４】
また、調理器本体３は、上方を開放端とする有底箱型の構造体であり、この上方の開放端を覆うトッププレート８（図１、図２、図３、図７）を備えている。
【００２５】
調理器本体３の上記開口端の周縁外方には鍔部３ａが形成され、鍔部３ａ（図３、図４、図５）がキッチンキャビネット（カウンタートップ）４の上方開口部５の周縁（開口周縁部）５ａ上に載置されることにより、グリル付きドロップインコンロ１がキッチンキャビネット４に保持されるように構成されている（図１，図５）。
【００２６】
調理器本体３の内側の、キッチンキャビネット（カウンタートップ）４の上記開口周縁部５ａと対向する領域（下方の領域）には、調理器本体３が備える加熱部２からの熱の伝播を抑制する金属製（例えば、アルミめっき鋼板製）の防熱板（左側防熱板５１および右側防熱板５２）を備えている（図４、図５）。
【００２７】
なお、この明細書では、調理器本体３から見て操作部６や、グリル扉１３などを備える側（図１の矢印Ｆで示す側）を前方とし、前方と反対側（図１の矢印Ｒで示す側）を後方とする。
【００２８】
また、調理器本体３の上面後方（奥側）には、調理器本体内３の熱気を排出するための排気孔３１が設けられており（図３）、調理器本体３の前方には、上記排気孔３１より低い位置に吸気孔４１（図５，図６）が設けられている。
【００２９】
なお、吸気孔４１は、調理器本体３の前面を構成する板状部材３ｂ（図６）をプレス加工して、前方から後方に向けて打ち抜くことにより形成されており、吸気孔４１の周縁が後方に向けてバーリング加工されている（図６）。
【００３０】
以下に、本発明の実施形態にかかるグリル付きドロップインコンロ１の特徴的な構成について、さらに詳しく説明する。
【００３１】
この実施形態のグリル付きドロップインコンロ１においては、上述の右側防熱板５２に、前後方向に延びる通気筒５６が配設されており、通気筒５６は前方に入口部５４を備え、後方に出口部５５を備えている（図４、図５）。
【００３２】
この実施形態では、通気筒５６は、前後方向に直交する方向の断面形状がコ字状の部材を、その開口を塞ぐようにな態様で右側防熱板５２に取り付けることにより形成されており、右側防熱板５２が、通気筒５６の１つの面を構成している。
【００３３】
ただし、筒状に構成された通気筒を、右側防熱板５２と接合するような態様で配設することも可能である。
【００３４】
また、この実施形態のグリル付きドロップインコンロ１は、グリル庫の後方に、グリル庫１２内の調理排気をグリル庫１２の外に排出するためのグリル排気筒１５（図３、図４）を備えている。
【００３５】
そして、グリル排気筒１５は、トッププレート８の後方（奥側）に設けられた排気孔（開口）３１に臨むように配設されており、グリル排気筒１５の上部開口１５ａ（図３）から、グリル庫１２内の調理排気が排出されるように構成されている。
【００３６】
また、上記開口３１の内周面とグリル排気筒１５の外周面間の隙間３２（図３）から、調理器本体３内の熱気が排出されるように構成されている。
なお、排気孔３１上には、通気可能な排気カバー１６が配設されるように構成されている。
【００３７】
すなわち、この実施形態では、上述のように排気孔３１が、調理器本体３内の熱気を調理器本体３外に排出するための開口として機能するとともに、グリル排気筒１５を望ませる開口（すなわち、グリル庫１２内の調理排気を系外に排出するための開口）としても機能するように構成されている。
【００３８】
上述のように、開口３１が、調理器本体３内の熱気を外に排出するための排気孔として機能するとともに、グリル庫１２内の調理排気を系外に排出するための開口としても機能するように構成されているため、構造が簡潔で、製造コストを抑制することが可能な加熱調理器（グリル付きドロップインコンロ）を提供することが可能になる。
【００３９】
また、調理器本体３の前方には、上記排気孔（開口）３１より低い位置に吸気孔４１（図４、図５、図６）が設けられている。
【００４０】
上述のように構成されたグリル付きドロップインコンロ１においては、加熱部（コンロ部２ａやグリル部２ｂなど）の使用時に調理器本体３内の空気の温度が上昇すると、ドラフト力が発生する。そして、排気孔３１より下方に吸気孔４１が位置していることから、ドラフト力によって調理器本体３内の温かい空気が調理器本体３の後方の排気孔３１から排出され、吸気孔４１からは調理器本体３外の、調理器本体の内部よりも低温の空気が吸気されることになる。
【００４１】
その結果、排気孔３１からの温かい空気の排出と、吸気孔４１からの冷たい空気の吸気に伴い、吸気された冷たい空気の一部が通気筒５６の入口部５４から通気筒５６内に流入し、右側防熱板５２を冷却しながら通気筒５６内を前方から後方に向かって流れ、通気筒５６の出口部５５から流出した後、排気孔３１から外部に排出される。これにより、右側防熱板５２が効率よく冷却され、コンロ部２ａやグリル部２ｂなどの加熱部２の使用時においても、キッチンキャビネット４の上方開口５の周縁部である開口周縁部５ａの温度上昇が抑制され、キッチンキャビネット４の劣化が抑制される。
【００４２】
また、吸気孔４１が、通常はグリル排気用の開口（排気孔３１）と同じ圧力となる、調理器本体３の前面に設けられるので、排気孔３１の圧力が吸気孔４１の圧力より高くなってしまうことで吸気孔４１からの吸気および排気孔３１からの排気が妨げられることが回避され、防熱板の冷却が不足するような事態となることを確実に防止できる。
【００４３】
特に、上述のように構成されたグリル付きドロップインコンロ１においては、グリル調理時に、グリル排気筒１５の周囲温度上昇に伴いドラフト力が増加し、排気孔３１からの温かい空気の排出が促進されるので、防熱板の冷却がさらに促進されるため、好ましい。
【００４４】
また、この実施形態のグリル付きドロップインコンロ１においては、上述のように、コンロ部２ａが、標準火力コンロバーナ２１と、大火力コンロバーナ２２の２つのコンロバーナを備えており、左側には、例えば加熱力（火力）が２４００ｋｃａｌ／時の標準バーナ２１が配設され、右側には、例えば加熱力（火力）が３３００ｋｃａｌ／時と大きい大火力コンロバーナ２２が配設されている（図２、図３、図４、図５、図７参照）。
【００４５】
そして、調理器本体３内の右側および左側には、キッチンキャビネット４の開口周縁部５ａと対向する領域には、キッチンキャビネット４の開口周縁部５ａに熱が加わることを抑制するための左側防熱板５１および右側防熱板５２が配設されているが、調理器本体３内の右側、すなわち、大火力コンロバーナ２２が配設された側の防熱板（右側防熱板５２）にのみ、上述の通気筒５６が設けられており、調理器本体３内の標準火力コンロバーナ２１が配設された側の防熱板（左側防熱板５１）には、通気筒が設けられていない（図４、図５参照）構成とされている。
【００４６】
このように、大火力コンロバーナ２２が配置されている側の開口周縁部５ａと対向する領域にのみ、通気筒５６を備えた防熱板（右側防熱板）５２を備えた構成とすることにより、標準火力コンロバーナ２２が配置されている側に対応する左側防熱板５１にも通気筒を設けるというような過剰設備となることを回避して、経済性に優れた加熱調理器（グリル付きドロップインコンロ）を提供することが可能になる。
【００４７】
ただし、本発明は、コンロバーナの種類によらず、左側防熱板５１と右側防熱板５２の両方に通気筒を配設するようにした構成を排除するものではない。
【００４８】
また、上記実施形態では、グリル付きドロップインコンロに本発明を適用した場合について説明したが、本発明は、コンロバーナを備えずグリルバーナのみを備える加熱調理器にも適用することが可能であり、また、グリルバーナを備えずコンロバーナのみを備える加熱調理器にも適用することが可能である。
【００４９】
また、上記実施形態では、二つのコンロバーナを備えた加熱調理器に本発明を適用した場合について説明したが、一つのコンロバーナあるいは三つ以上のコンロバーナを備えた加熱調理器にも本発明を適用することが可能である。
【００５０】
また、本発明は、ガスを燃料とするガス調理器以外の、電気調理器や石油調理器にも適用することが可能である。
【００５１】
本発明は、さらにその他の点においても上記実施形態に限定されるものではなく、発明の範囲内において、種々の応用、変形を加えることが可能である。
【符号の説明】
【００５２】
１                  グリル付きドロップインコンロ
２ａ                コンロ部
２ｂ                グリル部
２                  加熱部
３                  調理器本体
３ａ                鍔部
３ｂ                調理器本体の前面を構成する板状部材
４                  キッチンキャビネット（カウンタートップ）
５                  調理器本体の上方開口
５ａ                開口周縁部
６                  操作部
７                  前面開口
８                  トッププレート
９                  シール部材
１２                グリル庫
１３                グリル扉
１４                取っ手
１５                グリル排気筒
１５ａ              グリル排気筒の上部開口
１６                排気カバー
２１                標準火力コンロバーナ
２２                大火力コンロバーナ
２３                上バーナ
２４                下バーナ
３１                排気孔（開口）
３２                隙間
５１                防熱板（左側防熱板）
５２                防熱板（右側防熱板）
５４                入口部
５５                出口部
５６                通気筒
【図１】
0006473374.tif 000002
【図２】
0006473374.tif 000003
【図３】
0006473374.tif 000004
【図４】
0006473374.tif 000005
【図５】
0006473374.tif 000006
【図６】
0006473374.tif 000007
【図７】
0006473374.tif 000008
【図８】
0006473374.tif 000009